(57)【要約】【課題】２つのチャンネルを録画しながら、他の１チャンネルの視聴を可能とする放送受信装置を提供すること。【解決手段】放送受信装置は、第１のチューナーと、前記第１のチューナーとは異なる種類の第２及び第３のチューナーと、第１のカードから第１のカード情報を読み取る第１の読取手段と、前記第１のカードとは異なる種類の第２のカードから第２のカード情報を読み取る第２の読取手段と、前記第１のカード情報に基づいて前記第１のチューナーで選択された第１のチャンネル信号をデスクランブルし、前記第２のカード情報に基づいて前記第２及び第３のチューナーの夫々で選択された第２及び第３のチャンネル信号をデスクランブルする信号処理手段と、を備えている。【選択図】図１
2015039047.tif 000002
【特許請求の範囲】
【請求項１】
第１のチューナーと、
前記第１のチューナーとは異なる種類の第２及び第３のチューナーと、
第１のカードから第１のカード情報を読み取る第１の読取手段と、
前記第１のカードとは異なる種類の第２のカードから第２のカード情報を読み取る第２の読取手段と、
前記第１のカード情報に基づいて前記第１のチューナーで選択された第１のチャンネル信号をデスクランブルし、前記第２のカード情報に基づいて前記第２及び第３のチューナーの夫々で選択された第２及び第３のチャンネル信号をデスクランブルする信号処理手段と、
を備えた放送受信装置。
【請求項２】
前記信号処理手段は、前記デスクランブルされた前記第１のチャンネル信号に対応した第１の番組を再生するように制御し、前記第２及び第３のチャンネル信号の夫々に対応した第２及び第３の番組を記録するように制御することを特徴とする請求項１に記載の放送受信装置。
【請求項３】
さらに、前記第１のチューナーとは異なる種類の第４のチューナーを備え、
前記第１、第２、及び第３のチューナーは、第１の放送に対応したチューナーであり、前記第４のチューナーは、第２の放送に対応したチューナーであり、
前記信号処理手段は、前記第１及び第２の放送に対応可能で且つ２つのチャンネル信号のデスクランブルに対応可能な前記第１のカードから読み取られた前記第１のカード情報、及び前記第１の放送に対応可能で且つ２つのチャンネル信号のデスクランブルに対応可能な前記第２のカードから読み取られた前記第２のカード情報のうちの少なくとも一方のカード情報に基づいて、前記第１、第２、第３、及び第４のチューナーのうちの１以上のチューナーで選択された１以上のチャンネル信号をデスクランブルする、
ことを特徴とする請求項１に記載の放送受信装置。
【請求項４】
さらに、前記第１のチューナーとは異なる種類の第５のチューナーを備え、
前記第５のチューナーは、前記第２の放送に対応したチューナーであり、
前記信号処理手段は、前記第１及び第２のカード情報のうちの少なくとも一方のカード情報に基づいて、前記第１、第２、第３、第４、及び第５のチューナーのうちの１以上３以下のチューナーで選択された１以上３以下のチャンネル信号をデスクランブルする、
ことを特徴とする請求項３に記載の放送受信装置。
【請求項５】
前記信号処理手段は、前記第１のカード情報に基づき前記第１の放送に属した１又は２つのチャンネル信号がデスクランブルされ且つ前記第２のカード情報がデスクランブルに利用されていない場合に、前記第１のカード情報に基づきデスクランブルされている前記１又は２つのチャンネル信号のうちの少なくとも１つのチャンネル信号を、前記第１のカード情報に替えて前記第２のカード情報に基づきデスクランブルすることを特徴とする請求項３又は４に記載の放送受信装置。
【請求項６】
前記信号処理手段は、前記第１のカード情報に基づき前記第１の放送に属した１又は２つのチャンネル信号がデスクランブルされ且つ前記第２のカード情報に基づき１つのチャンネル信号がデスクランブルされている場合に、前記第１のカード情報に基づきデスクランブルされている１つのチャンネル信号を、前記第１のカード情報に替えて前記第２のカード情報に基づきデスクランブルすることを特徴とする請求項３又は４に記載の放送受信装置。
【請求項７】
前記信号処理手段は、前記第１のカード情報に基づいて前記第１及び第４のチューナーの夫々で選択された第１及び第４のチャンネル信号をデスクランブルしている状態で、さらに、前記第５のチューナーで選択された第５のチャンネル信号をデスクランブルする場合、前記第１のカード情報に基づいて前記第４及び第５のチューナーで選択された前記第４及び第５のチャンネル信号をデスクランブルし、前記第２のカード情報に基づいて前記第１のチューナーで選択された前記第１のチャンネル信号をデスクランブルするように、前記第１及び第２のカード情報に基づくデスクランブル対象の信号を変更することを特徴とする請求項６に記載の放送受信装置。
【請求項８】
前記信号処理手段は、前記第１のカード情報に基づいて前記第１及び第４のチューナーで選択された第１及び第４のチャンネル信号をデスクランブルしている状態で、前記第１のチューナーによる前記第１のチャンネル信号の選択に替えて第６のチャンネル信号が選択された場合に、前記第１のカード情報に基づいて前記第４のチューナーで選択された前記第４のチャンネル信号をデスクランブルし、前記第２のカード情報に基づいて前記第１のチューナーで選択された前記第６のチャンネル信号をデスクランブルするように、前記第１及び第２のカード情報に基づくデスクランブル対象の信号を変更することを特徴とする請求項６に記載の放送受信装置。
【請求項９】
前記信号処理手段は、前記第１のカード情報に基づいて前記第１のチューナーで選択された第１のチャンネル信号をデスクランブルし、さらに、前記第２のカード情報に基づいて前記第２及び第３のチューナーで選択された第２及び第３のチャンネル信号をデスクランブルしている状態で、前記第２のカード情報に基づく前記第２のチューナーによる前記第２のチャンネル信号のデスクランブルが終了した場合に、前記第１のカード情報に基づく前記第１のチャンネル信号のデスクランブルに替えて前記第２のカード情報に基づいて前記第１及び第３のチューナーで選択された前記第１及び第３のチャンネル信号をデスクランブルすることを特徴とする請求項６に記載の放送受信装置。
【請求項１０】
第１のカードから第１のカード情報を読み取り、前記第１のカードとは異なる種類の第２のカードから第２のカード情報を読み取り、
前記第１のカード情報に基づいて第１のチューナーで選択された第１のチャンネル信号をデスクランブルし、前記第２のカード情報に基づいて前記第１のチューナーとは異なる種類の第２及び第３のチューナーの夫々で選択された第２及び第３のチャンネル信号をデスクランブルする放送受信方法。
【発明の詳細な説明】
【技術分野】
【０００１】
本発明は、Ｂ−ＣＡＳカード等に記録された情報に基づき、スクランブルされた放送信号をデスクランブルする放送信号処理技術に関する。
【背景技術】
【０００２】
近年、２つのチューナーを備えたテレビジョン放送受信装置が登場している。このようなテレビジョン放送受信装置は、２つのチューナーを用いて、１チャンネルを再生（視聴用に再生）しながら他の１チャンネルを録画したり、２チャンネルを同時に録画したりすることができる。
【０００３】
また、上記したテレビジョン放送受信装置は、１つのカードスロット（カードインターフェース）を備えており、このカードスロットに挿入された１枚のＩＣカード（Ｂ−ＣＡＳカード）のカード情報（鍵情報）を利用して、スクランブルされているチャンネル信号をデスクランブルすることができる（特許文献１参照）。
【０００４】
現在、１枚のＩＣカードにより同時に２つのチャンネル信号までデスクランブルできることが保証されている。
【先行技術文献】
【特許文献】
【０００５】
【特許文献１】特開２００９−１２４３７９号公報（図３など）
【発明の概要】
【発明が解決しようとする課題】
【０００６】
上記したテレビジョン放送受信装置は、例えば２つのチャンネルを同時に録画した場合には、他の１チャンネルを再生（視聴用に再生）することができない。即ち、テレビジョン放送受信装置が、２つのチャンネルを同時に録画している場合には、録画しているチャンネルしか表示することができない。つまり、ユーザは、録画中の番組しか視聴することができず利便性が悪い。
【０００７】
そこで、テレビジョン放送受信装置が、上記２つのチューナーに加えて、さらに同じチューナーを備えることにより、２つのチャンネルを同時に録画しつつ、さらに他の１チャンネルを再生することが可能となる。しかしながら、テレビジョン放送受信装置に同一チューナーを３つ搭載すると、テレビジョン放送受信装置のコストが高くなってしまう。
【０００８】
また、１枚のＢ−ＣＡＳカードは、２つのチャンネル信号までのデスクランブルにしか使用できないという制約がある。
【０００９】
本発明は、２つのチャンネルを録画しながら、他の１チャンネルの視聴を可能とする放送受信装置を提供することを目的とする。
【課題を解決するための手段】
【００１０】
本発明の一実施形態に係る放送受信装置は、第１のチューナーと、前記第１のチューナーとは異なる種類の第２及び第３のチューナーと、第１のカードから第１のカード情報を読み取る第１の読取手段と、前記第１のカードとは異なる種類の第２のカードから第２のカード情報を読み取る第２の読取手段と、前記第１のカード情報に基づいて前記第１のチューナーで選択された第１のチャンネル信号をデスクランブルし、前記第２のカード情報に基づいて前記第２及び第３のチューナーの夫々で選択された第２及び第３のチャンネル信号をデスクランブルする信号処理手段と、を備えている。
【００１１】
本発明の一実施形態に係る放送受信方法は、第１のカードから第１のカード情報を読み取り、前記第１のカードとは異なる種類の第２のカードから第２のカード情報を読み取り、前記第１のカード情報に基づいて第１のチューナーで選択された第１のチャンネル信号をデスクランブルし、前記第２のカード情報に基づいて前記第１のチューナーとは異なる種類の第２及び第３のチューナーの夫々で選択された第２及び第３のチャンネル信号をデスクランブルする。
【発明の効果】
【００１２】
本発明によれば、２つのチャンネルを録画しながら、他の１チャンネルの視聴を可能とする放送受信装置を提供できる。
【図面の簡単な説明】
【００１３】
【図１】本発明の第１実施形態に係る放送受信装置の概略構成を示す図である。
【図２】第１の実施形態の放送受信装置による１番組を再生し２番組を録画する処理をまとめた図である。
【図３】本発明の第２実施形態に係る放送受信装置の概略構成を示す図である。
【図４】第２実施形態に係る放送受信装置による録画再生状態の遷移の第１例を示す図である。
【図５】第２実施形態に係る放送受信装置による録画再生状態の遷移の第２例を示す図である。
【図６】第２実施形態に係る放送受信装置による録画再生状態の遷移の第３例を示す図である。
【図７】第２の実施形態の放送受信装置による２番組を再生し２番組を録画する処理をまとめた図である。
【図８】Ｂ−ＣＡＳカードに関する警告メッセージの表示例を示す図である。
【図９】番組の記録再生中の表示画面の一例を示す図である。
【発明を実施するための形態】
【００１４】
以下、図面を参照し、本発明の実施形態について説明する。
【００１５】
図１は、本発明の第１実施形態に係る放送受信装置の概略構成を示す図である。図１に示すように、放送受信装置は、地上アナログ／デジタル共用チューナー１１、地上デジタルチューナー１２、地上デジタルチューナー１３、Ｂ−ＣＡＳカードスロット２１、Ｂ−ＣＡＳカードスロット２２、復調器３１（信号処理手段）、ＴＳ（Transport Stream)プロセッサ３２（信号処理手段）、ビデオデコーダ３３、オーディオデコーダ３４、ＨＤＤ３５、ＨＤＤ３６、表示部３７、スピーカー３８を備えている。
【００１６】
なお、本第１実施形態では、放送受信装置が、ＨＤＤ３５、ＨＤＤ３６を備えるケースについて説明するが、これらＨＤＤ３５、ＨＤＤ３６は、放送受信装置の必須の構成ではない。例えば、放送受信装置が、これらＨＤＤ３５、ＨＤＤ３６と接続するためのインターフェースを備え、インターフェースを介してこれらＨＤＤ３５、ＨＤＤ３６と接続する構成であってもよい。また、放送受信装置が、表示部３７を備えるケースについて説明するが、表示部３７は、放送受信装置の必須の構成ではない。例えば、放送受信装置が、表示部３７に対してビデオ信号を出力するインターフェースを備え、このインターフェースを介して表示部３７と接続する構成であってもよい。さらに、放送受信装置が、スピーカー３８を備えるケースについて説明するが、スピーカー３８は、放送受信装置の必須の構成ではない。例えば、放送受信装置が、スピーカー３８に対してオーディオ信号を出力するインターフェースを備え、このインターフェースを介してスピーカー３８と接続する構成であってもよい。
【００１７】
アンテナＡＴ１で受信された放送信号は、地上アナログ／デジタル共用チューナー１１、地上デジタルチューナー１２、地上デジタルチューナー１３に入力される。地上アナログ／デジタル共用チューナー１１は、地上アナログ放送に対応した放送信号から、指定されたチャンネルの信号を選択し出力したり、或いは、地上デジタル放送に対応した放送信号から、指定されたチャンネルの信号を選択し出力する。地上デジタルチューナー１２は、地上デジタル放送に対応した放送信号から、指定されたチャンネルの信号を選択し出力する。同様に、地上デジタルチューナー１３も、地上デジタル放送に対応した放送信号から、指定されたチャンネルの信号を選択し出力する。
【００１８】
復調器３１は、地上アナログ／デジタル共用チューナー１１から出力される第１のチャンネル信号、地上デジタルチューナー１２から出力される第２のチャンネル信号、及び地上デジタルチューナー１３から出力される第３のチャンネル信号を復調し、第１のチャンネル信号に対応した第１のＴＳ信号、第２のチャンネル信号に対応した第２のＴＳ信号、及び第３のチャンネル信号に対応した第３のＴＳ信号をＴＳプロセッサ３２へ入力することができる。つまり、復調器３１は、同時に、３つのチャンネル信号を復調することができる。なお、本第１の実施形態では、復調器３１が、同時に、３つのチャンネル信号を復調するケースについて説明するが、復調器３１は、１つのチャンネル信号だけを復調することもできるし、同時に、２つのチャンネル信号を復調することもできる。
【００１９】
上記した第１、第２、及び第３のＴＳ信号がスクランブルされている場合には、これら第１、第２、及び第３のＴＳ信号のスクランブルを解除するために、Ｂ−ＣＡＳカードＣ１及びＣ２が利用される。カードスロット２１は、挿入されたＢ−ＣＡＳカードＣ１又はＣ２と通信するためのカードインターフェース（読取手段）である。同様に、カードインターフェース２２も、挿入されたＢ−ＣＡＳカードＣ１又はＣ２と通信するためのカードインターフェース（読取手段）である。
【００２０】
ＴＳプロセッサ３２は、第１のＴＳ信号から第１の制御信号（ＥＣＭ）を分離し、例えばカードスロット２１（カードインターフェース）を介して、第１の制御信号をＢ−ＣＡＳカードＣ１へ入力する。例えば、ＴＳプロセッサ３２は、２秒毎に、第１の制御信号をＢ−ＣＡＳカードＣ１へ入力する。Ｂ−ＣＡＳカードＣ１は、第１の制御信号に基づき第１のスクランブル鍵を復号する。ＴＳプロセッサ３２は、この第１のスクランブル鍵（カード情報）に基づき、スクランブルされた第１のＴＳ信号をデスクランブルする。
【００２１】
また、ＴＳプロセッサ３２は、第２のＴＳ信号から第２の制御信号（ＥＣＭ）を分離し、例えばカードスロット２２（カードインターフェース）を介して、第２の制御信号をＢ−ＣＡＳカードＣ２へ入力する。例えば、ＴＳプロセッサ３２は、２秒毎に、第２の制御信号をＢ−ＣＡＳカードＣ２へ入力する。Ｂ−ＣＡＳカードＣ２は、第２の制御信号に基づき第２のスクランブル鍵を復号する。ＴＳプロセッサ３２は、この第２のスクランブル鍵（カード情報）に基づき、スクランブルされた第２のＴＳ信号をデスクランブルする。
【００２２】
さらに、ＴＳプロセッサ３２は、第３のＴＳ信号から第３の制御信号（ＥＣＭ）を分離し、例えばカードスロット２２（カードインターフェース）を介して、第３の制御信号をＢ−ＣＡＳカードＣ２へ入力する。例えば、ＴＳプロセッサ３２は、２秒毎に、第３の制御信号をＢ−ＣＡＳカードＣ２へ入力する。Ｂ−ＣＡＳカードＣ２は、第３の制御信号に基づき第３のスクランブル鍵を復号する。ＴＳプロセッサ３２は、この第３のスクランブル鍵（カード情報）に基づき、スクランブルされた第３のＴＳ信号をデスクランブルする。
【００２３】
例えば、Ｂ−ＣＡＳカードＣ１は、同時に、２つのチャンネル信号のデスクランブルに対応可能なカードである。同様に、Ｂ−ＣＡＳカードＣ２も、同時に、２つのチャンネル信号のデスクランブルに対応可能なカードである。本第１実施形態では、Ｂ−ＣＡＳカードＣ１で第１のＴＳ信号（視聴用の信号）をデスクランブルし、Ｂ−ＣＡＳカードＣ２で第１及び第２のＴＳ信号（録画用の信号）をデスクランブルするケースについて説明したが、本発明はこれに限定されるものではない。
【００２４】
例えば、Ｂ−ＣＡＳカードＣ１で第２のＴＳ信号をデスクランブルし、Ｂ−ＣＡＳカードＣ２で第１及び第３のＴＳ信号をデスクランブルしてもよい。また、Ｂ−ＣＡＳカードＣ１で第３のＴＳ信号をデスクランブルし、Ｂ−ＣＡＳカードＣ２で第１及び第２のＴＳ信号をデスクランブルしてもよい。また、Ｂ−ＣＡＳカードＣ１で第１及び第２のＴＳ信号をデスクランブルし、Ｂ−ＣＡＳカードＣ２で第３のＴＳ信号をデスクランブルしてもよい。また、Ｂ−ＣＡＳカードＣ１で第２及び第３のＴＳ信号をデスクランブルし、Ｂ−ＣＡＳカードＣ２で第１のＴＳ信号をデスクランブルしてもよい。また、Ｂ−ＣＡＳカードＣ１で第１及び第３のＴＳ信号をデスクランブルし、Ｂ−ＣＡＳカードＣ２で第２のＴＳ信号をデスクランブルしてもよい。
【００２５】
例えば、１番組（第１のチャンネル信号）の再生と２番組（第２及び第３のチャンネル信号）の録画が指定されている場合、ＴＳプロセッサ３２は、デスクランブルされた第１のＴＳ信号から第１のビデオ信号及び第１のオーディオ信号を生成し、第１のビデオ信号をビデオデコーダ３３へ出力し、第１のオーディオ信号をオーディオデコーダ３４へ出力する。さらに、ＴＳプロセッサ３２は、デスクランブルされた第２のＴＳ信号（パーシャルＴＳ信号）及びデスクランブルされた第３のＴＳ信号（パーシャルＴＳ信号）をＨＤＤ３５又はＨＤＤ３６へ出力する。
【００２６】
これにより、ビデオデコーダ３３は、第１のビデオ信号をデコードし、デコードされた第１のビデオ信号が表示部３７へ出力され、表示部３７は、デコードされた第１のビデオ信号に基づく第１の映像を表示する。また、オーディオデコーダ３４は、第１のオーディオ信号をデコードし、デコードされた第１のオーディオ信号がスピーカー３８へ出力され、スピーカー３８は、デコードされた第１のオーディオ信号に基づく第１のサウンドを出力する。さらに、ＨＤＤ３５又はＨＤＤ３６は、第２のＴＳ信号（パーシャルＴＳ信号）及び第３のＴＳ信号（パーシャルＴＳ信号）を記録する。
【００２７】
図２は、上記第１の実施形態の放送受信装置による１番組を再生し２番組を録画する処理をまとめた図である。例えば、放送受信装置が、地上デジタル放送のチャンネル０１１を録画し、地上デジタル放送のチャンネル０２１を録画し、地上デジタル放送のチャンネル０３１を再生する場合について説明する。この場合、放送受信装置は、地上デジタルチューナー１２でチャンネル０１１の信号を選択し、地上デジタルチューナー１３でチャンネル０２１の信号を選択し、地上アナログ／デジタル共用チューナー１１でチャンネル０３１の信号を選択し、Ｂ−ＣＡＳカードＣ２を使用して、チャンネル０１１、０２１の信号をデスクランブルし、Ｂ−ＣＡＳカードＣ１を使用して、チャンネル０３の信号をデスクランブルする。
【００２８】
また、放送受信装置が、地上デジタル放送のチャンネル０１１を録画し、地上デジタル放送のチャンネル０２１を録画し、地上アナログ放送のチャンネル１を再生する場合について説明する。この場合、放送受信装置は、地上デジタルチューナー１２でチャンネル０１１の信号を選択し、地上デジタルチューナー１３でチャンネル０２１の信号を選択し、地上アナログ／デジタル共用チューナー１１でチャンネル１の信号を選択し、Ｂ−ＣＡＳカードＣ２を使用して、チャンネル０１１、０２１の信号をデスクランブルする。
【００２９】
以上説明したように、第１の実施形態に係る放送受信装置は、２枚のＢ−ＣＡＳカードを使用し、３つ以上のデジタル放送のＴＳを同時にデスクランブルすることができ、３つ以上のデジタル放送の番組を同時に再生又は録画することが可能となる。
【００３０】
図３は、本発明の第２実施形態に係る放送受信装置の概略構成を示す図である。図３に示すように、放送受信装置は、図１に示す放送受信装置の構成に加えて、さらに、ＢＳデジタルチューナー１４、１５を備える。なお、ＢＳデジタルチューナー１４、１５は、ＢＳ／ＣＳ共用チューナーであってもよい。
【００３１】
ＢＳアンテナＡＴ２で受信された放送信号は、ＢＳデジタルチューナー１４、１５に入力される。ＢＳデジタルチューナー１４は、ＢＳデジタル放送に対応した放送信号から、指定されたチャンネルの信号を選択し出力する。同様に、ＢＳデジタルチューナー１５も、ＢＳデジタル放送に対応した放送信号から、指定されたチャンネルの信号を選択し出力する。
【００３２】
復調器３１は、地上アナログ／デジタル共用チューナー１１から出力される第１のチャンネル信号、地上デジタルチューナー１２から出力される第２のチャンネル信号、地上デジタルチューナー１３から出力される第３のチャンネル信号、ＢＳデジタルチューナー１４から出力される第４のチャンネル信号、及びＢＳデジタルチューナー１５から出力される第５のチャンネル信号のうちの、例えば３つのチャンネル信号を復調することができる。なお、復調器３１は、４つ以上のチャンネル信号を復調可能な構成であってもよい。復調器３１は、上記した復調により、３つのチャンネル信号に対応した３つのＴＳ信号をＴＳプロセッサ３２へ入力することができる。
【００３３】
例えば、上記した３つのＴＳ信号がスクランブルされている場合には、これら３つのＴＳ信号のスクランブルを解除するために、Ｂ−ＣＡＳカードＣ１及びＣ２が利用される。Ｂ−ＣＡＳカードＣ１及びＣ２を利用したデスクランブルについては、上記説明した通りである。第１の実施形態では、Ｂ−ＣＡＳカードＣ１及びＣ２の詳細な役割について説明しなかったが、第２の実施形態では、Ｂ−ＣＡＳカードＣ１及びＣ２の詳細な役割を以下のように定義する。
【００３４】
例えば、Ｂ−ＣＡＳカードＣ１（赤カード）は、地上デジタル放送とＢＳデジタル放送（第１の放送と第２の放送）に対応可能で且つ２つのチャンネル信号のデスクランブルに対応可能なカードである。これに対して、Ｂ−ＣＡＳカードＣ２（青カード）は、地上デジタル放送（第１の放送）に対応可能で且つ２つのチャンネル信号のデスクランブルに対応可能なカードである。
【００３５】
このように、Ｂ−ＣＡＳカードＣ１が地上デジタル放送とＢＳデジタル放送に対応可能なカードであるに対して、Ｂ−ＣＡＳカードＣ２が地上デジタル放送用のカードである。このことから、放送受信装置は、状況に応じて、Ｂ−ＣＡＳカードＣ１とＢ−ＣＡＳカードＣ２とを使い分ける。
【００３６】
例えば、図４に示すように、放送受信装置における番組の再生と録画の状態が遷移するケースを想定する。最初に、第１の状態を想定する。この第１の状態では、放送受信装置が、地上デジタル放送の第１のチャンネルを再生しつつ、地上デジタル放送の第２及び第３のチャンネルを録画する。この第１の状態では、例えば、地上アナログ／デジタル共用チューナー１１が、地上デジタル放送の第１のチャンネル信号を選択し、地上デジタルチューナー１２が、地上デジタル放送の第２のチャンネル信号を選択し、地上デジタルチューナー１３が、地上デジタル放送の第３のチャンネル信号を選択する。ＴＳプロセッサ３２は、Ｂ−ＣＡＳカードＣ１から得られる第１のスクランブル鍵で、第１のチャンネル信号に対応した第１のＴＳ信号をデスクランブルし、Ｂ−ＣＡＳカードＣ２から得られる第２のスクランブル鍵で、第２のチャンネル信号に対応した第２のＴＳ信号をデスクランブルし、Ｂ−ＣＡＳカードＣ２から得られる第３のスクランブル鍵で、第３のチャンネル信号に対応した第３のＴＳ信号をデスクランブルする。これにより、放送受信装置は、デスクランブルされた第１のＴＳ信号を再生しつつ、デスクランブルされた第２及び第３のＴＳ信号を録画することができる。
【００３７】
続いて、上記した第１の状態が第２の状態へ遷移することを想定する。この第２の状態では、放送受信装置が、地上デジタル放送の第１のチャンネルの再生を継続しつつ、地上デジタル放送の第２及び第３のチャンネルの録画を停止する。この第２の状態では、例えば、地上アナログ／デジタル共用チューナー１１が、地上デジタル放送の第１のチャンネル信号の選択を継続し、ＴＳプロセッサ３２が、Ｂ−ＣＡＳカードＣ１から得られる第１のスクランブル鍵で、第１のチャンネル信号に対応した第１のＴＳ信号のデスクランブルを継続する。一方、地上デジタルチューナー１２及び１３は動作を休止することができ、またＢ−ＣＡＳカードＣ２を利用しなくて済む。これにより、放送受信装置は、デスクランブルされた第１のＴＳ信号の再生を継続する。
【００３８】
続いて、上記した第２の状態が第３の状態へ遷移することを想定する。この第３の状態では、放送受信装置が、地上デジタル放送の第１のチャンネルの再生を継続しつつ、ＢＳデジタル放送の第４のチャンネルの録画を開始する。この第３の状態では、例えば、地上アナログ／デジタル共用チューナー１１が、地上デジタル放送の第１のチャンネル信号の選択を継続し、ＢＳデジタルチューナー１４（又はＢＳデジタルチューナー１５）が、ＢＳデジタル放送の第４のチャンネル信号を選択する。ＴＳプロセッサ３２は、Ｂ−ＣＡＳカードＣ１から得られる第１のスクランブル鍵で、第１のチャンネル信号に対応した第１のＴＳ信号のデスクランブルを継続し、また、同じくＢ−ＣＡＳカードＣ１から得られる第４のスクランブル鍵で、第４のチャンネル信号に対応した第４のＴＳ信号をデスクランブルする。なお、Ｂ−ＣＡＳカードＣ２は、上記したようにＢＳデジタル放送に対応していない。このため、Ｂ−ＣＡＳカードＣ２を使用して、ＢＳデジタル放送の第４のＴＳ信号をデスクランブルすることはできない。そのため、Ｂ−ＣＡＳカードＣ１が、２つのチャンネル信号（第１及び第４のチャンネル信号）のデスクランブルに使用されることとなる。上記により、放送受信装置は、デスクランブルされた第１のＴＳ信号の再生を継続しつつ、デスクランブルされた第４のＴＳ信号を録画することができる。
【００３９】
続いて、上記した第３の状態が第４の状態へ遷移することを想定する。この第４の状態では、放送受信装置が、地上デジタル放送の第１のチャンネルの再生を継続しつつ、ＢＳデジタル放送の第４のチャンネルの録画も継続しつつ、さらに、ＢＳデジタル放送の第５のチャンネルの録画を開始する。上記したように、Ｂ−ＣＡＳカードＣ１は、同時に２つのチャンネル信号のデスクランブルに使用することができ、しかも、地上デジタル放送及びＢＳデジタル放送に対応することができる。一方で、Ｂ−ＣＡＳカードＣ２は、同時に２つのチャンネル信号のデスクランブルに使用することができるものの、地上デジタル放送にしか対応することができない。つまり、Ｂ−ＣＡＳカードＣ２は、ＢＳデジタル放送のデスクランブルに使用することができない。
【００４０】
上記した第３の状態で、放送受信装置は、Ｂ−ＣＡＳカードＣ１を２つのチャンネル信号（第１及び第４のチャンネル信号）のデスクランブルに使用している。第４の状態では、放送受信装置は、ＢＳデジタル放送の２つのチャンネル信号（第４及び第５のチャンネル信号）をデスクランブルする必要がある。そこで、ＴＳプロセッサ３２は、Ｂ−ＣＡＳカードＣ１による第１のチャンネル信号のデスクランブルを、Ｂ−ＣＡＳカードＣ２による第１のチャンネル信号のデスクランブルへ切り替えて、Ｂ−ＣＡＳカードＣ１により第４及び第５のチャンネル信号をデスクランブルする。
【００４１】
具体的に説明すると、第４の状態では、地上アナログ／デジタル共用チューナー１１が、地上デジタル放送の第１のチャンネル信号の選択を継続し、ＢＳデジタルチューナー１４が、ＢＳデジタル放送の第４のチャンネル信号の選択を継続し、ＢＳデジタルチューナー１５が、ＢＳデジタル放送の第５のチャンネル信号を選択する。ＴＳプロセッサ３２は、Ｂ−ＣＡＳカードＣ１から得られる第４のスクランブル鍵で、第４のチャンネル信号に対応した第４のＴＳ信号のデスクランブルを継続し、Ｂ−ＣＡＳカードＣ１による第１のチャンネル信号に対応した第１のＴＳ信号のデスクランブルを中止し、替わりに、Ｂ−ＣＡＳカードＣ２から得られる第１のスクランブル鍵で、第１のＴＳ信号のデスクランブルを再開し、さらに、Ｂ−ＣＡＳカードＣ１から得られる第５のスクランブル鍵で、第５のチャンネル信号に対応した第５のＴＳ信号のデスクランブルを開始する。このように、放送受信装置は、状況に応じて、Ｂ−ＣＡＳカードＣ１とＢ−ＣＡＳカードＣ２とを使い分けることができる。
【００４２】
さらに、図５又は図６に示すように、放送受信装置が、Ｂ−ＣＡＳカードＣ１とＢ−ＣＡＳカードＣ２とを使い分けてもよい。
【００４３】
例えば、上記第２の状態（図４）では、Ｂ−ＣＡＳカードＣ１により地上デジタル放送（第１のチャンネル信号）がデスクランブルされているが、Ｂ−ＣＡＳカードＣ２はデスクランブルに使用されていない。そこで、第２の状態（図５）で、ＴＳプロセッサ３２が、Ｂ−ＣＡＳカードＣ１による第１のチャンネル信号に対応した第１のＴＳ信号のデスクランブルを中止し、替わりに、Ｂ−ＣＡＳカードＣ２から得られる第１のスクランブル鍵で、第１のＴＳ信号のデスクランブルを再開する。つまり、Ｂ−ＣＡＳカードＣ１又はＣ２のどちらのカードでもデスクランブルできるチャンネル信号（地上デジタル放送）であれば、ＴＳプロセッサ３２は、Ｂ−ＣＡＳカードＣ２を優先的に使用し、Ｂ−ＣＡＳカードＣ２でこのようなチャンネル信号をデスクランブルする。上記したように、第２の状態で、デスクランブル処理を担当するカードを切り替えておくことにより、第４の状態では、スムーズに（カード切り替え処理無しで）、目的の再生と録画を実行することができる。
【００４４】
或いは、図６に示すように、第３の状態の後で、地上デジタル放送の第１のチャンネルの視聴が、地上デジタル放送の第６のチャンネルの視聴へ切り替えられた場合には、このタイミングで、デスクランブル処理を担当するカードを切り替えるようにしてもよい。つまり、上記チャンネルの切り替えに対応して、地上アナログ／デジタル共用チューナー１１は、地上デジタル放送の第１のチャンネル信号の選択を中止し、替わりに、地上デジタル放送の第６のチャンネル信号を選択する。なお、ＢＳデジタルチューナー１４は、ＢＳデジタル放送の第４のチャンネル信号の選択を継続しているものとする。ＴＳプロセッサ３２は、Ｂ−ＣＡＳカードＣ１による第１のチャンネル信号に対応した第１のＴＳ信号のデスクランブルを中止し、替わりに、Ｂ−ＣＡＳカードＣ２から得られる第６のスクランブル鍵で、第６のチャンネル信号に対応した第６のＴＳ信号のデスクランブルを開始する。なお、ＴＳプロセッサ３２は、Ｂ−ＣＡＳカードＣ１から得られる第４のスクランブル鍵で、第４のチャンネル信号に対応した第４のＴＳ信号のデスクランブルを継続しているものとする。上記したように、チャンネル切替のタイミングで、デスクランブル処理を担当するカードを切り替えておくことにより、第４の状態では、スムーズ（カード切り替え処理無しで）に、目的の再生と録画を実行することができる。
【００４５】
以上説明したように、第２の実施形態に係る放送受信装置は、状況に応じて、Ｂ−ＣＡＳカードＣ１とＢ−ＣＡＳカードＣ２とを使い分けることができる。その一例として、放送受信装置は、地上デジタル放送をデスクランブルする場合は、Ｂ−ＣＡＳカードＣ１よりもＢ−ＣＡＳカードＣ２を優先的に使用する。優先的な使用例は、図５及び図６に示す通りである。これにより、放送受信装置は、地上デジタル放送に対応した最大４つのチャンネル信号及びＢＳデジタル放送に対応した最大２つのチャンネル信号のうちの合計３つ（又は４つ）のチャンネル信号を同時にデスクランブルすることができ、合計３つ（又は４つ）のチャンネル信号を同時に再生又は録画することができる。
【００４６】
図７は、上記第２の実施形態の放送受信装置による２番組を再生し２番組を録画する処理をまとめた図である。なお、上記第２の実施形態の放送受信装置のＢＳデジタルチューナー１４、１５が、ＢＳ／ＣＳ共用チューナーであってもよく、図７は、ＢＳ／ＣＳ共用チューナーを備えた放送受信装置の録画再生処理をまとめた図である。なお、以下の説明では、ＢＳ／ＣＳ共用チューナーであっても、ＢＳデジタルチューナー１４、１５として説明する。例えば、放送受信装置が、地上デジタル放送のチャンネル０１１を録画し、地上デジタル放送のチャンネル０２１を録画し、さらに、地上デジタル放送の第１の指定チャンネルとＢＳデジタル放送の第２の指定チャンネルとを再生する場合について説明する。この場合、放送受信装置は、地上デジタルチューナー１２でチャンネル０１１の信号を選択し、地上デジタルチューナー１３でチャンネル０２１の信号を選択し、地上アナログ／デジタル共用チューナー１１で第１の指定チャンネルの信号を選択し、ＢＳデジタルチューナー１４で第２の指定チャンネルの信号を選択し、Ｂ−ＣＡＳカードＣ２を使用して、チャンネル０１１、０２１の信号をデスクランブルし、Ｂ−ＣＡＳカードＣ１を使用して、第１及び第２の指定チャンネルの信号をデスクランブルする。或いは、放送受信装置は、Ｂ−ＣＡＳカードＣ２を使用して、チャンネル０１１及び第１の指定チャンネルの信号をデスクランブルし、Ｂ−ＣＡＳカードＣ１を使用して、チャンネル０２１及び第２の指定チャンネルの信号をデスクランブルする。
【００４７】
次に、Ｂ−ＣＡＳカードＣ１、Ｃ２の取扱いについて説明する。上記したように、放送受信装置が１チャンネルを再生し２チャンネルを録画するためには、Ｂ−ＣＡＳカードスロット２１、２２に対して、Ｂ−ＣＡＳカードＣ１、Ｃ２が正しく挿入される必要がある。もし、Ｂ−ＣＡＳカードＣ１、Ｃ２が正しく挿入されていない、或いは不適切なカードが挿入されている場合には、放送受信装置は、警告メッセージを出力する。
【００４８】
例えば、放送受信装置が、Ｂ−ＣＡＳカードスロット２１に挿入されたＢ−ＣＡＳカードＣ２と正しく通信することができ、Ｂ−ＣＡＳカードスロット２２にＢ−ＣＡＳカードが挿入されていないことを検知した場合には、図８に示すような、警告メッセージ（Ｂ−ＣＡＳ１：正常に動作しています／Ｂ−ＣＡＳ２：Ｂ−ＣＳＡカードＣ１（赤カード）が挿入されていません）を出力する。これにより、ユーザは、Ｂ−ＣＡＳカードＣ１、Ｃ２の挿入状態等を知ることができる。或いは、Ｂ−ＣＡＳカードスロット２１に挿入されたＢ−ＣＡＳカードＣ１と正しく通信することができ、Ｂ−ＣＡＳカードスロット２２にＢ−ＣＡＳカードが挿入されていないことを検知した場合には、警告メッセージ（Ｂ−ＣＡＳ１：正常に動作しています／Ｂ−ＣＡＳ２：Ｂ−ＣＳＡカードＣ２（青カード）が挿入されていません）を出力する。これにより、ユーザは、Ｂ−ＣＡＳカードＣ１、Ｃ２の挿入状態等を知ることができる。
【００４９】
さらに、放送受信装置は、状況に応じて、以下のような警告メッセージを出力することもできる。
【００５０】
例えば、Ｂ−ＣＡＳカードスロット２１をＢ−ＣＡＳカードＣ１の専用スロットとして割り当て、Ｂ−ＣＡＳカードスロット２２をＢ−ＣＡＳカードＣ２の専用スロットとして割り当てている場合、放送受信装置は、この割り当て情報を記憶するとともに、Ｂ−ＣＡＳカードスロット２１にＢ−ＣＡＳカードＣ１が未挿入の場合には、Ｂ−ＣＡＳカードスロット２１にＢ−ＣＡＳカードＣ１を挿入する旨の警告情報を出力することができる。また、放送受信装置は、Ｂ−ＣＡＳカードスロット２２にＢ−ＣＡＳカードＣ２が未挿入の場合には、Ｂ−ＣＡＳカードスロット２２にＢ−ＣＡＳカードＣ２を挿入する旨の警告情報を出力することができる。
【００５１】
さらに、放送受信装置は、Ｂ−ＣＡＳカードスロット２１にＢ−ＣＡＳカードＣ２が挿入された場合には、Ｂ−ＣＡＳカードスロット２１にはＢ−ＣＡＳカードＣ２ではなくＢ−ＣＡＳカードＣ１を挿入する旨の警告情報を出力することができる。同様に、放送受信装置は、Ｂ−ＣＡＳカードスロット２２にＢ−ＣＡＳカードＣ１が挿入された場合には、Ｂ−ＣＡＳカードスロット２２にはＢ−ＣＡＳカードＣ１ではなくＢ−ＣＡＳカードＣ２を挿入する旨の警告情報を出力することができる。
【００５２】
さらに、放送受信装置は、Ｂ−ＣＡＳカードスロット２１又は２２に挿入されたカードから情報が読み取れないなどの場合には、Ｂ−ＣＡＳカードスロット２１又は２２に挿入されたカードは交換が必要ですなどの警告情報を出力することができる。
【００５３】
また、放送受信装置は、Ｂ−ＣＡＳカードスロット２１に対してＢ−ＣＡＳカードＣ１が正しく挿入され、Ｂ−ＣＡＳカードスロット２２に対してＢ−ＣＡＳカードＣ２が挿入されていない場合に、録画再生動作を受け付けない第１の動作モードと、可能な動作を受け付ける第２の動作モードとを選択的に設定することができる。例えば、第２の動作モードが設定された場合であって、Ｂ−ＣＡＳカードスロット２１に対してＢ−ＣＡＳカードＣ１が正しく挿入され、Ｂ−ＣＡＳカードスロット２２に対してＢ−ＣＡＳカードＣ２が挿入されていない場合には、放送受信装置は、Ｂ−ＣＡＳカードＣ１だけで可能な録画再生動作だけを実行し、Ｂ−ＣＡＳカードＣ２を必要とする場合にはその旨を案内する。
【００５４】
次に、図９を参照して、番組の記録再生中の表示画面の一例について説明する。例えば、放送受信装置が、地上デジタル放送のチャンネル０１１を録画し、地上デジタル放送のチャンネル０２１を録画し、地上デジタル放送のチャンネル０３１を再生する場合の表示画面の一例について説明する。この場合、放送受信装置は、再生中（視聴中）を示す再生情報（視聴アイコンなど）と地上デジタル放送のチャンネル０３１の番組情報（タイトルなど）とを表示するための第１の表示情報を出力し、録画中を示す録画情報（録画アイコンなど）と地上デジタル放送のチャンネル０１１の番組情報（タイトルなど）とを表示するための第２の表示情報を出力し、録画中を示す録画情報（録画アイコンなど）と地上デジタル放送のチャンネル０２１の番組情報（タイトルなど）とを表示するための第３の表示情報を出力する。これにより、図９に示すように、表示部３７は、再生中（視聴中）を示す再生情報（視聴アイコンなど）と地上デジタル放送のチャンネル０３１の番組情報とを表示し、録画中を示す録画情報（録画アイコンなど）と地上デジタル放送のチャンネル０１１の番組情報とを表示し、録画中を示す録画情報（録画アイコンなど）と地上デジタル放送のチャンネル０２１の番組情報とを表示する。これにより、ユーザは、視聴中の１番組と録画中の２番組とを明確に区別して認識することができる。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５６】
１１…地上アナログ／デジタル共用チューナー、１２、１３…地上デジタルチューナー、１４、１５…ＢＳデジタルチューナー、２１…Ｂ−ＣＡＳカードスロット、２２…Ｂ−ＣＡＳカードスロット、３１…復調器、３２…ＴＳプロセッサ、３３…ビデオデコーダ、３４…オーディオデコーダ、３５…ＨＤＤ、３７…表示部、３８…スピーカー
【図１】
2015039047.tif 000003
【図２】
2015039047.tif 000004
【図３】
2015039047.tif 000005
【図４】
2015039047.tif 000006
【図５】
2015039047.tif 000007
【図６】
2015039047.tif 000008
【図７】
2015039047.tif 000009
【図８】
2015039047.tif 000010
【図９】
2015039047.tif 000011
【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
視聴用の第１のチューナーと、
前記第１のチューナーとは異なる種類の録画用の第２及び第３のチューナーと、
第１のカードから第１のカード情報を読み取る第１の読取手段と、
第２のカードから第２のカード情報を読み取る第２の読取手段と、
前記第１のカード情報に基づいて前記第１のチューナーで選択された第１のチャンネル信号をデスクランブルし、前記第２のカード情報に基づいて前記第２及び第３のチューナーの夫々で選択された第２及び第３のチャンネル信号をデスクランブルする信号処理手段とを備え、
前記信号処理手段は、前記デスクランブルされた前記第１のチャンネル信号に対応した第１の番組を再生するように制御し、前記第２及び第３のチャンネル信号の夫々に対応した第２及び第３の番組を記録するように制御する放送受信装置。
【請求項２】
さらに、前記第１のチューナーとは異なる種類の第４のチューナーを備え、
前記第１、第２、及び第３のチューナーは、第１の放送に対応したチューナーであり、前記第４のチューナーは、第２の放送に対応したチューナーであり、
前記信号処理手段は、前記第１及び第２の放送に対応可能で且つ２つのチャンネル信号のデスクランブルに対応可能な前記第１のカードから読み取られた前記第１のカード情報、及び前記第１の放送に対応可能で且つ２つのチャンネル信号のデスクランブルに対応可能な前記第２のカードから読み取られた前記第２のカード情報のうちの少なくとも一方のカード情報に基づいて、前記第１、第２、第３、及び第４のチューナーのうちの１以上のチューナーで選択された１以上のチャンネル信号をデスクランブルする、
ことを特徴とする請求項１に記載の放送受信装置。
【請求項３】
さらに、前記第１のチューナーとは異なる種類の第５のチューナーを備え、
前記第５のチューナーは、前記第２の放送に対応したチューナーであり、
前記信号処理手段は、前記第１及び第２のカード情報のうちの少なくとも一方のカード情報に基づいて、前記第１、第２、第３、第４、及び第５のチューナーのうちの１以上３以下のチューナーで選択された１以上３以下のチャンネル信号をデスクランブルする、
ことを特徴とする請求項２に記載の放送受信装置。
【請求項４】
前記信号処理手段は、前記第１のカード情報に基づき前記第１の放送に属した１又は２つのチャンネル信号がデスクランブルされ且つ前記第２のカード情報がデスクランブルに利用されていない場合に、前記第１のカード情報に基づきデスクランブルされている前記１又は２つのチャンネル信号のうちの少なくとも１つのチャンネル信号を、前記第１のカード情報に替えて前記第２のカード情報に基づきデスクランブルすることを特徴とする請求項２又は３に記載の放送受信装置。
【請求項５】
前記信号処理手段は、前記第１のカード情報に基づき前記第１の放送に属した１又は２つのチャンネル信号がデスクランブルされ且つ前記第２のカード情報に基づき１つのチャンネル信号がデスクランブルされている場合に、前記第１のカード情報に基づきデスクランブルされている１つのチャンネル信号を、前記第１のカード情報に替えて前記第２のカード情報に基づきデスクランブルすることを特徴とする請求項２又は３に記載の放送受信装置。
【請求項６】
前記信号処理手段は、前記第１のカード情報に基づいて前記第１及び第４のチューナーの夫々で選択された第１及び第４のチャンネル信号をデスクランブルしている状態で、さらに、前記第５のチューナーで選択された第５のチャンネル信号をデスクランブルする場合、前記第１のカード情報に基づいて前記第４及び第５のチューナーで選択された前記第４及び第５のチャンネル信号をデスクランブルし、前記第２のカード情報に基づいて前記第１のチューナーで選択された前記第１のチャンネル信号をデスクランブルするように、前記第１及び第２のカード情報に基づくデスクランブル対象の信号を変更することを特徴とする請求項５に記載の放送受信装置。
【請求項７】
前記信号処理手段は、前記第１のカード情報に基づいて前記第１及び第４のチューナーで選択された第１及び第４のチャンネル信号をデスクランブルしている状態で、前記第１のチューナーによる前記第１のチャンネル信号の選択に替えて第６のチャンネル信号が選択された場合に、前記第１のカード情報に基づいて前記第４のチューナーで選択された前記第４のチャンネル信号をデスクランブルし、前記第２のカード情報に基づいて前記第１のチューナーで選択された前記第６のチャンネル信号をデスクランブルするように、前記第１及び第２のカード情報に基づくデスクランブル対象の信号を変更することを特徴とする請求項５に記載の放送受信装置。
【請求項８】
前記信号処理手段は、前記第１のカード情報に基づいて前記第１のチューナーで選択された第１のチャンネル信号をデスクランブルし、さらに、前記第２のカード情報に基づいて前記第２及び第３のチューナーで選択された第２及び第３のチャンネル信号をデスクランブルしている状態で、前記第２のカード情報に基づく前記第２のチューナーによる前記第２のチャンネル信号のデスクランブルが終了した場合に、前記第１のカード情報に基づく前記第１のチャンネル信号のデスクランブルに替えて前記第２のカード情報に基づいて前記第１及び第３のチューナーで選択された前記第１及び第３のチャンネル信号をデスクランブルすることを特徴とする請求項５に記載の放送受信装置。
【請求項９】
第１のカードから第１のカード情報を読み取り、第２のカードから第２のカード情報を読み取り、
前記第１のカード情報に基づいて視聴用の第１のチューナーで選択された第１のチャンネル信号をデスクランブルし、前記第２のカード情報に基づいて前記第１のチューナーとは異なる種類の録画用の第２及び第３のチューナーの夫々で選択された第２及び第３のチャンネル信号をデスクランブルし、
前記デスクランブルされた前記第１のチャンネル信号に対応した第１の番組を再生するように制御し、前記第２及び第３のチャンネル信号の夫々に対応した第２及び第３の番組を記録するように制御する放送受信方法。